【手続補正書】
【提出日】令和1年11月15日(2019.11.15)
【手続補正１】
【補正対象書類名】特許請求の範囲
【補正対象項目名】全文
【補正方法】変更
【補正の内容】
【特許請求の範囲】
【請求項１】
無線周波数（ＲＦ）伝送場内の異なる空間位置にある複数の受信機に対して電力を無線で提供するように構成される送信機において、
（ｉ）前記送信機によってサービス提供される前記ＲＦ伝送場の第１の空間位置に位置する第１の受信機、及び（ｉｉ）前記ＲＦ伝送場の、前記第１の空間位置と異なる第２の空間位置に位置する第２の受信機を前記送信機によって識別すること、
前記第１の受信機又は前記第２の受信機に対して使用可能な電力を提供する１つ又は複数のＲＦ電力波を前記送信機によって伝送する前に、
（ｉ）前記送信機に対する前記第１の空間位置の位置に基づく、前記第１の空間位置の第１の比吸収率（ＳＡＲ）値、及び（ｉｉ）前記送信機に対する前記第２の空間位置の位置に基づく、前記第２の空間位置の第２のＳＡＲ値を前記送信機によって決定することと、
前記第１の空間位置の前記第１のＳＡＲ値が既定のＳＡＲ値の閾値を満たすかどうかを前記送信機によって判定すること、及び
前記第１の空間位置の前記第１のＳＡＲ値が前記既定のＳＡＲ値の閾値を満たすとの判定に応じて、前記第１の受信機の位置に対して前記１つ又は複数のＲＦ電力波を、前記送信機によって伝送することであって、前記第１の受信機が、前記第１の受信機に結合される電子装置に給電するために前記第１の受信機によって受信される前記１つ又は複数のＲＦ電力波からのエネルギを使用する、伝送すること、
を含む、無線電力伝送システムの方法。
【請求項２】
前記第１の受信機の位置に伝送される前記１つ又は複数のＲＦ電力波が、少なくとも１つの共通の特性を有し、
前記方法が、前記第２の空間位置の前記第２のＳＡＲ値が前記ＳＡＲ値の閾値を満たすかどうかを前記送信機によって判定することを更に含み、
前記第２の空間位置の前記第２のＳＡＲ値が前記既定のＳＡＲ値の閾値を満たさないとの判定に応じて、前記送信機が、前記第２の受信機の位置に対して、前記少なくとも１つの共通の特性を有するＲＦ電力波を伝送することを行わない、請求項１に記載の方法。
【請求項３】
前記第２の空間位置の前記第２のＳＡＲ値が前記既定のＳＡＲ値の閾値を満たさないとの判定に応じて、前記第２の受信機の位置において相殺的に収束する１つ又は複数の追加のＲＦ電力波を前記送信機によって伝送することを更に含み、前記１つ又は複数の追加のＲＦ電力波が、１つ又は複数のヌル空間を形成するために相殺的に収束する、請求項２に記載の方法。
【請求項４】
前記既定のＳＡＲ値の閾値が１キログラム当たり１．６ワット（Ｗ／Ｋｇ）を上回る許容誤差内である、請求項１に記載の方法。
【請求項５】
前記第１及び第２の受信機に関連する位置に関する位置データを前記送信機によって受信することを更に含み、前記第１及び第２の受信機を識別することが、前記位置データに少なくとも部分的に基づいて行われる、請求項１に記載の方法。
【請求項６】
前記送信機が１つ又は複数のアンテナアレイを含み、前記１つ又は複数のアンテナアレイのそれぞれが１つ又は複数のアンテナを含む、請求項１に記載の方法。
【請求項７】
１つ又は複数の送信機を含む無線電力伝送のためのシステムであって、
無線周波数（ＲＦ）伝送場内の異なる空間位置において複数の受信機に対して電力を無線で提供するように構成される前記１つ又は複数の送信機の各々が、
（ｉ）前記送信機によってサービス提供される前記ＲＦ伝送場の第１の空間位置に位置する第１の受信機、及び（ｉｉ）前記ＲＦ伝送場の、前記第１の空間位置と異なる第２の空間位置に位置する第２の受信機を識別すること、及び
前記第１の受信機又は前記第２の受信機に対して使用可能な電力を提供する１つ又は複数のＲＦ電力波を伝送する前に、
（ｉ）前記送信機に対する前記第１の空間位置の位置に基づく、前記第１の空間位置の第１の比吸収率（ＳＡＲ）値、及び（ｉｉ）前記送信機に対する前記第２の空間位置の位置に基づく、前記第２の空間位置の第２のＳＡＲ値を決定することと、
前記第１の空間位置の前記第１のＳＡＲ値が既定のＳＡＲ値の閾値を満たすかどうかを判定すること、
を行うように構成されるマイクロプロセッサと、
前記第１の空間位置の前記第１のＳＡＲ値が前記既定のＳＡＲ値の閾値を満たすとの判定に応じて、前記第１の受信機の位置に対してＲＦ電力波を伝送するように構成される１つ又は複数のアンテナを含む１つ又は複数のアンテナアレイと、を含む、
システム。
【請求項８】
前記既定のＳＡＲ値の閾値が１キログラム当たり１．６ワット（Ｗ／Ｋｇ）を上回る許容誤差内である、請求項７に記載のシステム。
【請求項９】
前記ＲＦ電力波が、絶えず変えられる周波数を有するチャープ波を含む、請求項７に記載のシステム。
【請求項１０】
前記１つ又は複数の送信機のうちの少なくとも１つのアンテナが平面アンテナ、パッチアンテナ、及びダイポールアンテナで構成される群から選択され、前記少なくとも１つのアンテナの高さが約１／８インチから約１インチであり、少なくとも１つのアンテナの幅が約１／８インチから約１インチである、請求項７に記載のシステム。
【請求項１１】
前記１つ又は複数の送信機の前記１つ又は複数のアンテナが、単一アレイ、ペアアレイ、及びクワッドアレイの少なくとも１つによるポケット形成の多重チャネル動作を可能にする独立した周波数で動作するように構成される、請求項７に記載のシステム。
【請求項１２】
前記第１のＳＡＲ値が前記既定のＳＡＲ値の閾値を満たさないとの判定に応じて、（ｉ）前記個々のアンテナ間の所望の間隔を作り出すために前記１つ又は複数のアンテナアレイからの個々のアンテナ、及び（ｉｉ）前記ＲＦ電力波の出力周波数を選択し、
前記選択される個々のアンテナによって及び前記選択される出力周波数を使用して前記１つ又は複数のＲＦ電力波を伝送して、前記ＲＦ伝送場内の前記第１の空間位置において又はその近くにおいてヌル空間を形成するために前記１つ又は複数のＲＦ電力波を相殺的に収束させる
ように前記マイクロプロセッサが構成される、請求項７に記載のシステム。
【請求項１３】
前記複数のＳＡＲ値のうちの前記第２のＳＡＲ値が前記既定のＳＡＲ値の閾値を満たすかどうかを判定し、
前記第２のＳＡＲ値が前記既定のＳＡＲ値の閾値を満たすとの判定に応じて、（ｉ）前記個々のアンテナ間の所望の間隔を作り出すために前記１つ又は複数のアンテナアレイからの個々のアンテナ、及び（ｉｉ）前記ＲＦ電力波の出力周波数を選択し、
前記選択される個々のアンテナによって及び前記選択される出力周波数を使用して追加のＲＦ電力波を伝送して、前記ＲＦ伝送場内の前記第２の空間位置においてエネルギのポケットを形成するために前記追加のＲＦ電力波を建設的に収束させる
ように前記マイクロプロセッサが構成される、請求項７に記載のシステム。
【請求項１４】
実行可能命令を記憶する非一時的コンピュータ可読記憶媒体であって、無線周波数（ＲＦ）伝送場内の異なる空間位置にある複数の受信機に対して電力を無線で提供するように構成され、少なくとも１つのプロセッサ及びアンテナアレイを含む、送信機によって実行されると、
（ｉ）前記送信機によってサービス提供される前記ＲＦ伝送場の第１の空間位置に位置する第１の受信機、及び（ｉｉ）前記ＲＦ伝送場の、前記第１の空間位置と異なる第２の空間位置に位置する第２の受信機を識別すること、
前記第１の受信機又は前記第２の受信機に対して使用可能な電力を提供する１つ又は複数のＲＦ電力波を伝送する前に、
（ｉ）前記送信機に対する前記第１の空間位置の位置に基づく、前記第１の空間位置の第１の比吸収率（ＳＡＲ）値、及び（ｉｉ）前記送信機に対する前記第２の空間位置の位置に基づく、前記第２の空間位置の第２のＳＡＲ値を決定することと、
前記第１の空間位置の前記第１のＳＡＲ値が既定のＳＡＲ値の閾値を満たすかどうかを前記送信機によって判定すること、及び
前記第１の空間位置の前記第１のＳＡＲ値が前記既定のＳＡＲ値の閾値を満たすとの判定に応じて、前記第１の受信機の位置に対して前記１つ又は複数のＲＦ電力波を、前記アンテナアレイによって伝送することであって、前記第１の受信機が、前記第１の受信機に結合される電子装置に給電するために前記第１の受信機によって受信される前記１つ又は複数のＲＦ電力波からのエネルギを使用する、伝送すること
を前記送信機に行わせる、非一時的コンピュータ可読記憶媒体。
【請求項１５】
前記１つ又は複数のＲＦ電力波が、前記第１の受信機の位置において建設的に収束する、請求項１４に記載の非一時的コンピュータ可読記憶媒体。
【請求項１６】
前記実行可能命令が、前記送信機に実行されると、
前記第１の空間位置の前記第１のＳＡＲ値が前記既定のＳＡＲ値の閾値を満たさないとの判定に応じて、前記第１の受信機の位置において相殺的に収束する他のＲＦ電力波を前記アンテナアレイによって伝送すること
を前記送信機に更に行わせる、請求項１４に記載の非一時的コンピュータ可読記憶媒体。
【請求項１７】
前記実行可能命令が、前記送信機に実行されると、
前記送信機によって伝送される前記１つ又は複数のＲＦ電力波の電力レベルより比較的低い電力レベルを有する探索的ＲＦ電力波を伝送すること、及び
前記第１の受信機から前記探索的ＲＦ電力波の受信を示す通信を受信することであって、前記通信が前記探索的ＲＦ電力波の特性を決定するために使用されるデータを含む、受信すること
を前記送信機に更に行わせ、
前記送信機によって伝送される前記１つ又は複数のＲＦ電力波の適切な特性が、前記探索的ＲＦ電力波の特性を決定するために使用される前記データに少なくとも部分的に基づいて決定される、請求項１４に記載の非一時的コンピュータ可読記憶媒体。